(57)【要約】【課題】パイプとコーナー用継手との外周面が面一として組み合わすことができる立方体のユニット式組立構造。【解決手段】コーナー用継手１２は一辺の長さがＬ１の立方体である継手本体１２ａとして形成され、その外周面にパイプ１１の端部内に挿嵌される一辺の長さがＬ２とされた方形状の連結用凸部１２ｂが突設され、連結用凸部１２ｂの外周面と継手本体１２ａの外周面とは、（Ｌ１−Ｌ２）×１／２＝Ｌ３の関係に設定され、継手本体１２ａに結合されるパイプ１１端部の連結穴１１ａの内径は連結用凸部１２ｂの一辺の長さＬ２よりもやや長く設定され、パイプ１１の肉厚はＬ３と一致するように設定される。【選択図】  図３
2004275681.tif 000002
【特許請求の範囲】
【請求項１】
各パイプの端部をコーナー用継手により支持させて書棚や物入れなどのような立方体を組み立てるに際し、立方体の各辺を形成し端部に連結穴を有するパイプを準備すると共に、継手本体の所定の面にパイプ端部の連結穴内に挿嵌される連結用凸部を有するコーナー用継手を準備し、上記継手本体の外周面から上記連結用凸部の外周面の寸法と、上記パイプの肉厚の寸法を互いに等しく設定し、上記連結用凸部をパイプ端部の連結穴内に挿嵌した際に、上記継手本体と上記パイプとの外周面同士が互いに面一とされることを特徴とする立方体のユニット式組立構造。
【請求項２】
連結用凸部とパイプとは、立方体として形成されることを特徴とする請求項１記載の立方体のユニット式組立構造。
【発明の詳細な説明】
【０００１】
【発明の属する技術分野】
この発明は、各パイプの端部をコーナー用継手により支持させることにより組み立てられる立方体において、パイプとコーナー用継手との外周面が面一として組み合わすことができる立方体のユニット式組立構造に関するものである。
【０００２】
【従来の技術】
従来より、書棚や物入れなどのような立方体を組み立てる場合、例えば特開２０００−１１６２６７号公報などに記載されているよう方法が知られている。すなわち、同公報の記載によれば、図１３に示したように、屋外又は屋内で角柱状の立方体１を外部とは仕切って構築するに際し、角柱の辺に沿って架設される複数本のパイプ２，・・・をこの角柱の上部と底部における各コーナに配置すると共に、パイプ２，・・・を角柱の辺に沿って支持するように互いに異なる三方向からコーナー連結具３，・・・により連結されて組み立てる構造が開示されている。
【０００３】
【発明が解決しようとする課題】
ところで、このような立方体１の組立構造では、パイプ２の端部はいずれもコーナー連結具３における連結部３ａの連結穴３ｂに内挿されるように構成されている（図１４参照）。このため、コーナー連結具３がパイプ２に外嵌する構造となるため、パイプ２の端部とコーナー連結具３との連結部分には段差Ｄが発生し、互いに面一にならないという問題がある（図１５参照）。
【０００４】
パイプ２の端部とコーナー連結具３の連結部分に段差Ｄが発生し互いに面一にならない場合、物置や大雑把なインテリア製品などのような立方体では特別問題ないものもあるが、緻密なインテリア製品などのような立方体では見栄えが悪いという問題があったり、紙材や布材あるいはプラスチック板や木板などの面材４を立方体１の面部に面一に貼り付けたいという場合には、立方体２と貼り付け材の間に余分なクリアランスが生じてしまい、しわやたるみやが生じたり、上手く貼り付けることができないという問題が生じる。
【０００５】
この発明は、上記のような事情に鑑みてなされたものであり、互いに結合されるパイプの端部とコーナー連結具との連結部分に段差を発生させず、互いに面一に結合され立方体の面部に面一な面部を容易に形成することが可能な立方体のユニット式組立構造の提供をその目的とする。
【０００６】
【課題を解決するための手段】
この発明は、上記のような目的を達成するために、立方体のユニット式組立構造として、請求項１記載のように、各パイプの端部をコーナー用継手により支持させて書棚や物入れなどのような立方体を組み立てるに際し、立方体の各辺を形成し端部に連結穴を有するパイプを準備すると共に、継手本体の所定の面にパイプ端部の連結穴内に挿嵌される連結用凸部を有するコーナー用継手を準備し、上記継手本体の外周面から上記連結用凸部の外周面の寸法と、上記パイプの肉厚の寸法を互いに等しく設定し、上記連結用凸部をパイプ端部の連結穴内に挿嵌した際に、上記継手本体と上記パイプとの外周面同士が互いに面一とされることを特徴とする。また、請求項２記載のように、連結用凸部とパイプとは、立方体として形成されることを特徴とする。
【０００７】
【発明の実施の形態】
以下、この発明の実施例を図面に基づき詳細に説明する。図１は、この発明に係るユニット式立方体の外観を示す説明図であり、図２はこの発明に係るコーナー用継手の１例を示す外観斜視図である。
【０００８】
図１に示すように、この立方体１０は、立方体１０の各面を囲むように架設される角型のパイプ１１，・・・と、このパイプ１１の端部に取付けられパイプを支持するコーナー用継手１２とにより構成され、ユニット式に組み立てられる。
【０００９】
コーナー用継手１２は、一辺の長さがＬ１の立方体である継手本体１２ａとして形成され、その外周面にパイプ１１の端部内に挿嵌される一辺の長さがＬ２とされた方形状の連結用凸部１２ｂが突設されている。連結用凸部１２ｂの外周面と継手本体１２ａの外周面とは、（Ｌ１−Ｌ２）×１／２＝Ｌ３の関係に設定されている（図２参照）。
【００１０】
一方、この継手本体１２ａに結合される断面方形状のパイプ１１の長さは任意に設定されるが、その端部の連結穴１１ａの内径は連結用凸部１２ｂの一辺の長さＬ２よりもやや長く設定され、また、パイプ１１の肉厚はＬ３と一致するように設定されている。
【００１１】
2004275681.tif 000003
【００１２】
このように、実施例によれば、立方体１０の組み立ては次のように動作される。まず、組み立てようとする立方体の底面隅角部に連結用凸部１２ｂが突設されたコーナー用継手１２を配し、各連結用凸部１２ｂをそれぞれパイプ１１端部の連結穴１１ａに内挿させる。例えば、コーナー用継手１２が三方向用の連結用凸部１２の場合には、図２及び図３に示したように、連結用凸部１２ｂとパイプ１１端部の連結穴１１ａとを組み合わすことができる。
【００１３】
このようにして底面を形成した後、底面の各隅角部に配されているコーナー用継手１２の連結用凸部１２ｂより上方に延びる各垂直パイプ１１，・・・の上端に、三方向用の連結用凸部１２ｂの一つの連結用凸部を連結させると共に、各コーナー用継手１２の残りの連結用凸部１２ｂ同士をパイプ１１で連結すれば、立方体１０を構築することができる。
【００１４】
この際、この立方体１０におけるパイプ１１とコーナー用継手１２との接合部分は、先に説明したように、コーナー用継手１２は一辺の長さがＬ１の立方体である継手本体１２ａとして形成され、その外周面にパイプ１１の端部内に挿嵌される一辺の長さがＬ２とされた連結用凸部１２ｂが突設されている。
また、連結用凸部１２ｂの外周面と継手本体１２ａの外周面とは、（Ｌ１−Ｌ２）×１／２＝Ｌ３の関係に設定され、且つ、パイプ１１端部の連結穴１１ａの穴径は、連結用凸部１２ｂの一辺の長さＬ２よりもやや長いＬ２と設定されて連結用凸部１２ｂの受承を可能とされている。
さらに、パイプ１１の肉厚は連結用凸部１２ｂの外周面から継手本体１２ａの外周面までの寸法Ｌ３と一致するように設定されている。
したがって、パイプ１１と連結用凸部１２ｂとの連結時には、パイプ１１とコーナー用継手１２との外周面は互いに面一となる（図４参照）。
【００１５】
したがって、この立方体１０の１面に布張りをする場合、図４に示したように、この１面を形成するパイプ１１とコーナー用継手１２との接合部分は総て面一とされているので、従来のように立方体と貼り付け材の間に余分なクリアランスを生じさせることがなく、しわやたるみを生じさせず、きわめて容易に面一に面材１３を貼り付けることができることとなる。
【００１６】
なお、コーナー用継手１２の連結用凸部１２ｂは、上記の説明では三方向型として説明をしたが、連結用凸部１２ｂが東西南北及び上下方向に突設される全方位型としてもよく、役目の持たせ方により適宜突設方向は選択することができる。また、コーナー用継手１２の継手本体１２ａや連結用凸部１２ｂ及びパイプ１１や連結穴１１ａは方形状として説明をしたが、互いに一致して組み合わされればよいので方形状以外の形状としてもよい（図５参照）。
【００１７】
図６乃至図１０において、コーナー用継手１２の連結用凸部の突出形態を示す。
図６は１方向突出型のコーナー用継手１２を示し、図７は２方向突出型、図８は３方向突出型、図９は４方向突出型、図１０は５方向突出型、図１１は６方向突出型のコーナー用継手１２を示している。
【００１８】
さらに、この発明に係る立方体１０の組立構造は、コーナー用継手１２の継手本体１２ａの連結用凸部１２ｂにパイプ１１端部が外嵌するように構成されるので、パイプ１１端部の近傍とこれに対応するように連結用凸部１２ｂとにネジ穴１４を開設することもできる（図３中の点線で示す）。
【００１９】
また、図１２に示すものは、面材１３の１例を示すもので、この面材１３は面材１３の補強とデザイン性の向上を兼ねて、表面１３ａより奥行側に順次小径となる凹部１３ｂ，１３ｃ，１３ｄ，１３ｅが階層されている。１５はカバー体であり、立方体１０の内部において突出する面材１３裏面側の凹部１３ｂ，１３ｃ，１３ｄ，１３ｅをカバーしフラットな内部壁面を創出させる内側の面材である。
【００２０】
いずれにせよ、上記実施例においては、継手本体の外周面から連結用凸部の外周面間の寸法とパイプの肉厚の寸法を互いに等しく設定し、連結用凸部をパイプ端部の連結穴内に挿嵌した際に継手本体とパイプとの外周面同士が互いに面一とされるように設定されているので、パイプの端部をコーナー用継手により支持させて書棚や物入れなどのような立方体を凹凸のない面一な面部とすることができ、立方体の面部にしわやたるみを生じさせず容易に面一な面部を形成することができる。
【００２１】
【発明の効果】
以上説明したように、この発明によれば、各パイプの端部をコーナー用継手により支持させることにより組み立てられる立方体において、パイプとコーナー用継手との外周面が面一として容易に組み合わすことができるユニット式組立構造を提供し、併せて各面部の強度性やデザイン性に優れた立方体を提供する。
【図面の簡単な説明】
【図１】この発明に係るユニット式立方体の外観を示す説明図である。
【図２】この発明に係るコーナー用継手の１例を示す外観斜視図である。
【図３】コーナー用継手とパイプの結合状態を示す説明用断面図である。
【図４】コーナー用継手とパイプと面材との面一状態を示す説明用断面図である。
【図５】コーナー用継手と丸パイプとの結合を示す外観説明図である。
【図６】１方向突出型のコーナー用継手を示す外観斜視図である。
【図７】２方向突出型のコーナー用継手を示す外観斜視図である。
【図８】３方向突出型のコーナー用継手を示す外観斜視図である。
【図９】４方向突出型のコーナー用継手を示す外観斜視図である。
【図１０】５方向突出型のコーナー用継手を示す外観斜視図である。
【図１１】６方向突出型のコーナー用継手を示す外観斜視図である。
【図１２】面材の１例を示す説明図である。
【図１３】従来のユニット式立方体の外観を示す説明図である。
【図１４】図１３におけるコーナー用連結具を示す説明図である。
【図１５】図１４におけるコーナー用連結具におけるパイプと面材との状態を示す説明用断面図である。
【符号の説明】
１０      立方体
１１      パイプ
１１ａ    連結穴
１２      コーナー用継手
１２ａ    継手本体
１２ｂ    連結用凸部
１３      面材
１５      カバー体
【図１】
2004275681.tif 000004
【図２】
2004275681.tif 000005
【図３】
2004275681.tif 000006
【図４】
2004275681.tif 000007
【図５】
2004275681.tif 000008
【図６】
2004275681.tif 000009
【図７】
2004275681.tif 000010
【図８】
2004275681.tif 000011
【図９】
2004275681.tif 000012
【図１０】
2004275681.tif 000013
【図１１】
2004275681.tif 000014
【図１２】
2004275681.tif 000015
【図１３】
2004275681.tif 000016
【図１４】
2004275681.tif 000017
【図１５】
2004275681.tif 000018